(57)【特許請求の範囲】
【請求項１】
相互通信不可能なネットワークによって分離されたＩＰｖ６（Ｉｎｔｅｒｎｅｔ  Ｐｒｏｔｏｃｏｌ  ｖｅｒｓｉｏｎ  ６）ネットワーク間を、前記相互通信不可能なネットワークに設けられたＩＰ（Ｉｎｔｅｒｎｅｔ  Ｐｒｏｔｏｃｏｌ）トンネル機能による仮想的な専用回線にて前記ＩＰｖ６ネットワーク間を接続するＩＰｖ６ネットワーク網間接続システムであって、
前記ＩＰｖ６ネットワーク間で転送されるパケットを前記仮想的な専用回線で転送可能なパケットに変換する始点ルータと、
前記仮想的な専用回線で転送されてきたパケットを前記ＩＰｖ６ネットワーク間で転送される元のパケットに戻す終点ルータと、
前記始点ルータと前記終点ルータとの間で定期的にＩＰｖ６隣接探索プロトコルパケットを送受信させて前記仮想的な専用回線の区間のデータパケット到達性を監視する第１の監視手段と、
前記第１の監視手段の監視において前記データパケット到達性が失われていることが検知された時点で前記始点ルータと前記終点ルータとを接続するためのバックアップ回線と、
前記データパケット到達性が失われていることが検知された時点で前記仮想的な専用回線を前記バックアップ回線に切替える切替手段とを有し、
前記第１の監視手段は、前記データパケット到達性が確保されていない場合に前記仮想的な専用回線の区間中の障害発生地点に配置されたルータから送られてくる不到達エラー通知パケットの有無に応じて前記データパケット到達性の監視を行うことを特徴とするＩＰｖ６ネットワーク網間接続システム。
【請求項２】
前記仮想的な専用回線から前記バックアップ回線に切替えられた後に前記データパケット到達性を監視する第２の監視手段を含み、
前記切替手段は、前記第２の監視手段で前記データパケット到達性が確保されたことが確認された時点で前記バックアップ回線から前記仮想的な専用回線に切替えることを特徴とする請求項１記載のＩＰｖ６ネットワーク網間接続システム。
【請求項３】
前記相互通信不可能なネットワークがＩＰｖ４（Ｉｎｔｅｒｎｅｔ  Ｐｒｏｔｏｃｏｌ  ｖｅｒｓｉｏｎ  ４）ネットワークであることを特徴とする請求項１または請求項２記載のＩＰｖ６ネットワーク網間接続システム。
【請求項４】
前記相互通信不可能なネットワークが前記ＩＰｖ６ネットワークであることを特徴とする請求項１または請求項２記載のＩＰｖ６ネットワーク網間接続システム。
【請求項５】
相互通信不可能なネットワークによって分離されたＩＰｖ６（Ｉｎｔｅｒｎｅｔ  Ｐｒｏｔｏｃｏｌ  ｖｅｒｓｉｏｎ  ６）ネットワーク間を、前記相互通信不可能なネットワークに設けられたＩＰ（Ｉｎｔｅｒｎｅｔ  Ｐｒｏｔｏｃｏｌ）トンネル機能による仮想的な専用回線にて前記ＩＰｖ６ネットワーク間を接続するＩＰｖ６ネットワーク網間接続システムに用いるＩＰトンネルバックアップ経路実現方法であって、
前記ＩＰｖ６ネットワーク間で転送されるパケットを前記仮想的な専用回線で転送可能なパケットに変換する始点ルータと、前記仮想的な専用回線で転送されてきたパケットを前記ＩＰｖ６ネットワーク間で転送される元のパケットに戻す終点ルータとを設け、
前記仮想的な専用回線におけるデータパケット到達性を前記始点ルータと前記終点ルータとの間で定期的にＩＰｖ６隣接探索プロトコルパケットを送受信させて監視する第１の監視ステップと、
前記第１の監視ステップの監視において前記データパケット到達性が失われていることが検知された時点で前記仮想的な専用回線を前記始点ルータと前記終点ルータとを接続するためのバックアップ回線に切替えるステップとを有し、
前記第１の監視ステップにおいて、前記データパケット到達性が確保されていない場合に前記仮想的な専用回線の区間中の障害発生地点に配置されたルータから送られてくる不到達エラー通知パケットの有無に応じて前記データパケット到達性の監視を行うことを特徴とするＩＰトンネルバックアップ経路実現方法。
【請求項６】
前記仮想的な専用回線から前記バックアップ回線に切替えられた後に前記データパケット到達性を監視する第２の監視ステップと、前記第２の監視ステップの監視によって前記データパケット到達性が確保されたことが確認された時点で前記バックアップ回線から前記ＩＰトンネル機能による仮想的な専用回線に切替えるステップとを含むことを特徴とする請求項５記載のＩＰトンネルバックアップ経路実現方法。
【請求項７】
前記相互通信不可能なネットワークがＩＰｖ４（Ｉｎｔｅｒｎｅｔ  Ｐｒｏｔｏｃｏｌ  ｖｅｒｓｉｏｎ  ４）ネットワークであることを特徴とする請求項５または請求項６記載のＩＰトンネルバックアップ経路実現方法。
【請求項８】
前記相互通信不可能なネットワークが前記ＩＰｖ６ネットワークであることを特徴とする請求項５または請求項６記載のＩＰトンネルバックアップ経路実現方法。
【発明の詳細な説明】
【０００１】
【発明の属する技術分野】
本発明はＩＰｖ６ネットワーク網間接続システム及びそれに用いるＩＰトンネルバックアップ経路実現方法に関し、特にＩＰｖ６（Ｉｎｔｅｒｎｅｔ  Ｐｒｏｔｏｃｏｌ  ｖｅｒｓｉｏｎ  ６）ネットワーク網間の接続方法に関する。
【０００２】
【従来の技術】
ＩＰｖ６ネットワーク網においては、相互通信不可能なＩＰネットワーク網によってネットワーク的に分離された他のＩＰｖ６ネットワーク網と接続する場合、既存のＩＰネットワーク網を利用したＩＰトンネル機能を利用する方法が一般的にある。
【０００３】
この方法は物理的に構築されたポイントトゥーポイント専用回線と同様に、ＩＰトンネルの始点ルータと終点ルータとの間を仮想的なポイントトゥーポイント回線として接続して利用する方法である。
【０００４】
このようなＩＰトンネル機能を利用することで、分離されたＩＰｖ６ネットワーク網間では、物理的に構築された専用回線と同等の専用回線として利用することができ、通常、利用される専用回線と等価の回線セキュリティを安価に実現することが可能である。
【０００５】
【発明が解決しようとする課題】
しかしながら、上述した従来のＩＰｖ６ネットワーク網間の接続方法では、実際の専用回線と異なり、ＩＰトンネル区間のデータパケット到達性がＩＰトンネル区間のＩＰネットワーク網中で利用されるＩＰルーティングプロトコルによる動的な経路、またはネットワーク管理者によって固定的に設計された経路によって確保される。
【０００６】
そのため、上記の接続方法ではＩＰネットワーク網中に点在する複数のルータを経由して構成された経路が、ＩＰトンネル区間上で発生した回線障害によってパケットの到達性を確保することができなくなる可能性がある。また、ＩＰネットワーク網が巨大になるほど、回線障害の発生頻度が高くなり、同時にＩＰトンネル区間のデータパケット到達性における信頼性も低下する。
【０００７】
さらに、物理的にポイントトゥーポイントで構築された専用回線上で発生した回線障害の場合、回線収容ルータでは直接回線の障害を感知することが可能であるが、ＩＰトンネル機能による仮想専用回線ではＩＰネットワーク網中で発生した障害をＩＰトンネル始点ルータ及び終点ルータで感知することが、直接接続された回線で発生した障害とは異なり、容易ではない。つまり、ＩＰトンネル機能による仮想専用回線を利用したデータ通信では回線障害を感知することが困難であり、回線の信頼性も低い。
【０００８】
そこで、本発明の目的は上記の問題点を解消し、回線信頼性を高めることができるＩＰｖ６ネットワーク網間接続システム及びそれに用いるＩＰトンネルバックアップ経路実現方法を提供することにある。
【０００９】
また、本発明の他の目的は上記の問題点を解消し、回線障害復旧の確認及びその回線障害復旧時の自動的な回線経路切替えを実現することができるＩＰｖ６ネットワーク網間接続システム及びそれに用いるＩＰトンネルバックアップ経路実現方法を提供することにある。
【００１０】
【課題を解決するための手段】
本発明によるＩＰｖ６ネットワーク網間接続システムは、相互通信不可能なネットワークによって分離されたＩＰｖ６（Ｉｎｔｅｒｎｅｔ  Ｐｒｏｔｏｃｏｌ  ｖｅｒｓｉｏｎ  ６）ネットワーク間を、前記相互通信不可能なネットワークに設けられたＩＰ（Ｉｎｔｅｒｎｅｔ  Ｐｒｏｔｏｃｏｌ）トンネル機能による仮想的な専用回線にて前記ＩＰｖ６ネットワーク間を接続するＩＰｖ６ネットワーク網間接続システムであって、
前記ＩＰｖ６ネットワーク間で転送されるパケットを前記仮想的な専用回線で転送可能なパケットに変換する始点ルータと、
前記仮想的な専用回線で転送されてきたパケットを前記ＩＰｖ６ネットワーク間で転送される元のパケットに戻す終点ルータと、
前記始点ルータと前記終点ルータとの間で定期的にＩＰｖ６隣接探索プロトコルパケットを送受信させて前記仮想的な専用回線の区間のデータパケット到達性を監視する第１の監視手段と、
前記第１の監視手段の監視において前記データパケット到達性が失われていることが検知された時点で前記始点ルータと前記終点ルータとを接続するためのバックアップ回線と、
前記データパケット到達性が失われていることが検知された時点で前記仮想的な専用回線を前記バックアップ回線に切替える切替手段とを備え、
前記第１の監視手段は、前記データパケット到達性が確保されていない場合に前記仮想的な専用回線の区間中の障害発生地点に配置されたルータから送られてくる不到達エラー通知パケットの有無に応じて前記データパケット到達性の監視を行っている。
【００１１】
本発明による他のＩＰｖ６ネットワーク網間接続システムは、上記の構成において、前記仮想的な専用回線から前記バックアップ回線に切替えられた後に前記データパケット到達性を監視する第２の監視手段を具備し、
前記切替手段は、前記第２の監視手段で前記データパケット到達性が確保されたことが確認された時点で前記バックアップ回線から前記仮想的な専用回線に切替えている。
【００１２】
本発明によるＩＰトンネルバックアップ経路実現方法は、相互通信不可能なネットワークによって分離されたＩＰｖ６（Ｉｎｔｅｒｎｅｔ  Ｐｒｏｔｏｃｏｌ  ｖｅｒｓｉｏｎ  ６）ネットワーク間を、前記相互通信不可能なネットワークに設けられたＩＰ（Ｉｎｔｅｒｎｅｔ  Ｐｒｏｔｏｃｏｌ）トンネル機能による仮想的な専用回線にて前記ＩＰｖ６ネットワーク間を接続するＩＰｖ６ネットワーク網間接続システムに用いるＩＰトンネルバックアップ経路実現方法であって、
前記ＩＰｖ６ネットワーク間で転送されるパケットを前記仮想的な専用回線で転送可能なパケットに変換する始点ルータと、前記仮想的な専用回線で転送されてきたパケットを前記ＩＰｖ６ネットワーク間で転送される元のパケットに戻す終点ルータとを設け、
前記仮想的な専用回線におけるデータパケット到達性を前記始点ルータと前記終点ルータとの間で定期的にＩＰｖ６隣接探索プロトコルパケットを送受信させて監視する第１の監視ステップと、
前記第１の監視ステップの監視において前記データパケット到達性が失われていることが検知された時点で前記仮想的な専用回線を前記始点ルータと前記終点ルータとを接続するためのバックアップ回線に切替えるステップとを備え、
前記第１の監視ステップにおいて、前記データパケット到達性が確保されていない場合に前記仮想的な専用回線の区間中の障害発生地点に配置されたルータから送られてくる不到達エラー通知パケットの有無に応じて前記データパケット到達性の監視を行っている。
【００１３】
本発明による他のＩＰトンネルバックアップ経路実現方法は、上記のステップのほかに、前記仮想的な専用回線から前記バックアップ回線に切替えられた後に前記データパケット到達性を監視する第２の監視ステップと、前記第２の監視ステップの監視によって前記データパケット到達性が確保されたことが確認された時点で前記バックアップ回線から前記ＩＰトンネル機能による仮想的な専用回線に切替えるステップとを具備している。
【００１４】
すなわち、本発明のＩＰｖ６ネットワーク網間接続システムは、相互通信不可能なＩＰネットワーク網によって分離されたＩＰｖ６ネットワーク網間を接続するために、一般的に利用されるＩＰトンネル機能による仮想的な専用回線を利用し、ＩＰトンネルの始点ルータと終点ルータとの間で定期的にＩＰｖ６隣接探索プロトコルを動作させている。ここで、ＩＰｖ６隣接探索プロトコルについては、ＲＦＣ２４６１の“Ｎｅｉｇｈｂｏｒ  Ｄｉｓｃｏｖｅｒｙ  ｆｏｒ  ＩＰ  Ｖｅｒｓｉｏｎ  ６”（Ｄｅｃｅｍｂｅｒ  １９９８）に詳述されている。
【００１５】
これによって、本発明のＩＰｖ６ネットワーク網間接続システムは、ＩＰトンネル区間のデータパケット到達性を監視することが可能となり、ＩＰトンネル区間で回線障害が発生した際に送信される不到達エラー通知パケットを確認した時点、つまりＩＰトンネル区間のデータパケット到達性が失われた時点で、回線障害発生時にＩＰトンネルの始点ルータと終点ルータとを接続するために用意したバックアップ回線にデータパケット転送経路を自動的に切替えることが可能となる。
【００１６】
ＩＰトンネルの始点ルータと終点ルータとの間のデータパケット到達性が回線障害等を理由として確保されていない場合には、ＩＰトンネルの始点ルータから終点ルータに向けてデータパケットを送信すると、ＩＰトンネル区間中の障害発生地点に配置されたルータがデータパケットを受信した際にデータパケットの送信元であるＩＰトンネルの始点ルータに対して不到達エラー通知パケットを送信する。
【００１７】
本発明のＩＰｖ６ネットワーク網間接続システムでは、ＩＰトンネルの始点ルータでこの不到達エラー通知パケットを受信することで、ＩＰトンネル区間のデータ到達性が確保できていないことを認識することが可能となる。
【００１８】
また、本発明のＩＰｖ６ネットワーク網間接続システムでは、ＩＰトンネル機能による仮想専用回線からバックアップ回線に切替えた後、ＩＰトンネル区間上でＩＰｖ６隣接探索プロトコルを定期的に送信することで、ＩＰトンネル区間の回線状態を常時監視することが可能となり、ＩＰトンネル区間の到達性が確保されたことが確認された時点で、バックアップ回線からＩＰトンネル機能による仮想専用回線にデータパケット転送経路を切替えることが可能となる。
【００１９】
例えば、図１を利用して本発明を説明すると、本発明では、ＩＰｖ４ネットワーク網３００によってネットワーク的に分離されたＩＰｖ６ネットワーク１００とＩＰｖ６ネットワーク２００とが存在し、この２つのＩＰｖ６ネットワーク１００，２００間を接続するために、ＩＰｖ６ネットワーク２００とＩＰｖ４ネットワーク３００の接点に配置されたルータ１と、ＩＰｖ６ネットワーク２００とＩＰｖ４ネットワーク３００との接点に配置されたルータ２とを利用し、ＩＰトンネル始点ルータをルータ１とし、ＩＰトンネル終点ルータをルータ２としたＩＰトンネル機能による仮想専用回線３０１を構築した場合、ＩＰｖ６ネットワーク１００からＩＰｖ６ネットワーク２００に向けて送信されるデータパケットがＩＰトンネル区間を介して転送されるものとする。
【００２０】
この場合、ＩＰトンネル区間上にはＩＰｖ６ネットワーク１００からＩＰｖ６ネットワーク２００に向けて転送されるデータパケットと、ＩＰトンネル区間の両端に位置するルータ１，２間のパケット到達確認のために動作するＩＰｖ６隣接探索プロトコルパケットとが流れている。
【００２１】
ここで、図２に示すように、ＩＰトンネル区間中で回線障害が発生した場合、ＩＰトンネル始点ルータでは回線障害発生時に送信される不到達エラー通知を受信することで回線障害を検知し、その時点でデータパケット転送経路をバックアップ回線４００に切替えることで、ＩＰトンネル機能による仮想専用回線の冗長性を実現する。
【００２２】
また、バックアップ回線４００への切替え後において、ＩＰトンネル区間でＩＰｖ６隣接探索プロトコルを動作させることで、ＩＰトンネル区間のパケット到達性を監視し、ＩＰトンネル区間の経路が確保された時点で、バックアップ回線４００の利用を終了し、主回線であるＩＰトンネル機能による仮想専用回線３０１を復旧させる。このようにして、ＩＰトンネル区間の回線冗長性を高めることが可能となる。
【００２３】
【発明の実施の形態】
次に、本発明の実施例について図面を参照して説明する。図１は本発明の一実施例によるＩＰｖ６ネットワーク網間接続システムの構成を示すブロック図である。図１において、ＩＰｖ６ネットワーク網間接続システムはＩＰｖ６ネットワーク１００，２００と、ＩＰトンネル機能におけるＩＰトンネルの始点ルータ及び終点ルータとなるルータ１，２と、トンネル機能による仮想専用回線３０１を備えたＩＰｖ４ネットワーク３００と、ルータ１，２間を接続するバックアップ回線４００とから構成されている。
【００２４】
ＩＰｖ６ネットワーク１００，２００は相互通信不可能なＩＰｖ４ネットワーク３００によって遮断されたネットワークであり、これらＩＰｖ６ネットワーク１００，２００間はＩＰトンネル機能による仮想専用回線３０１を利用することによって相互データ通信を実現している。
【００２５】
ルータ１はＩＰｖ６ネットワーク１００とＩＰｖ４ネットワーク３００とが接する位置に配置されている。また、ルータ２はＩＰｖ６ネットワーク２００とＩＰｖ４ネットワーク３００とが接する位置に配置され、ＩＰトンネル機能による専用回線を実現するためのＩＰトンネル終端ルータとして利用される。
【００２６】
具体的には、データパケットがＩＰｖ６ネットワーク１００からＩＰｖ６ネットワーク２００に対して転送される場合には、ルータ１をＩＰトンネル始点ルータ、ルータ２をＩＰトンネル終点ルータとする。また、ルータ１，２間では対抗するルータ、つまり、ルータ１に対するルータ２、ルータ２に対するルータ１に対してデータパケット到達性が確保されているか否かを監視するために、ＩＰｖ６隣接探索プロトコルを利用している。ここで、ＩＰｖ６隣接探索プロトコルについては、ＲＦＣ２４６１の“Ｎｅｉｇｈｂｏｒ  Ｄｉｓｃｏｖｅｒｙ  ｆｏｒＩＰ  Ｖｅｒｓｉｏｎ  ６”（Ｄｅｃｅｍｂｅｒ  １９９８）に詳述されている。
【００２７】
さらに、ルータ１，２間にはそれらの間のデータパケット到達性が失われた場合に利用可能なバックアップ回線４００を用意している。このバックアップ回線４００はルータ１，２がＩＰトンネル機能による仮想専用回線３０１上で発生した到達不可エラー通知パケットを受信した場合、もしくはＩＰｖ６隣接探索プロトコルでＩＰトンネル区間のパケット到達性を確保することができないことが確認された際に利用し、ＩＰトンネル機能による仮想専用回線３０１が復旧した時点で使用を停止する一時的冗長用回線とする。
【００２８】
図２は本発明の一実施例によるＩＰｖ６ネットワーク網間接続システムにおける回線障害時の状態を示す図であり、図３は図１のルータ１，２の動作を示すフローチャートである。これら図１〜図３を参照して本発明の一実施例によるＩＰｖ６ネットワーク網間接続システムの動作について説明する。
【００２９】
通常、図１において、ＩＰｖ６ネットワーク１００からＩＰｖ６ネットワーク２００に対してデータパケットを転送する場合、データパケットはＩＰトンネル始点ルータであるルータ１においてＩＰｖ４ネットワーク３００で転送可能なＩＰトンネルパケットに変換した後、ルータ２に向けて転送される。ルータ２ではルータ１から転送されてきたＩＰトンネルパケットをオリジナルのデータパケットに戻してＩＰｖ６ネットワーク２００に転送する。
【００３０】
また、ＩＰトンネル区間のルータ１，２間でＩＰｖ６隣接探索プロトコルを動作させ、ＩＰトンネルの対向ルータ、つまり、ルータ１に対するルータ２、ルータ２に対するルータ１が存在することを確認することで、ＩＰトンネル区間のパケット到達性を監視する（図３ステップＳ１）。
【００３１】
次に、図２において、ルータ１，２をＩＰトンネルの両終端とするＩＰトンネル区間中で回線障害が発生した場合、回線障害地点に位置するルータはＩＰトンネル区間で転送されるデータパケットまたはＩＰｖ６隣接探索プロトコルパケットを受信した際、ルータ２への経路がないため、通常、到達不可エラー通知パケットを送信元であるルータ１に対して送信する。
【００３２】
ルータ１は到達不可エラー通知パケットを受信すると（図３ステップＳ２）、ＩＰトンネル区間においてルータ２へのパケット到達性が失われていることを検知し、データ転送用には通常使用しないバックアップ回線４００を利用してデータパケットをルータ２に対して転送する（図３ステップＳ３）。
【００３３】
これ以後、ルータ１はＩＰトンネル機能による仮想専用回線３０１が復旧するまでの間、バックアップ回線４００にてルータ２へのデータ通信を行う（図３ステップＳ４）。これによって、ルータ１，２間のデータパケット到達性は失われず、ルータ１，２間の回線信頼性が保たれる。
【００３４】
一方、経路をバックアップ回線４００に切替えた後も、ルータ１，２間ではＩＰトンネル区間のＩＰｖ６隣接探索プロトコルによる到達性監視が引続き動作しており（図３ステップＳ４）、ルータ１がルータ２の存在を確認し、ルータ１，２間のデータパケット到達性が確認された時点で（図３ステップＳ５）、バックアップ回線４００の使用を停止し、データパケットの転送経路をＩＰトンネル機能による仮想専用回線３０１に切替えることで、ＩＰトンネル機能による仮想専用回線３０１が復旧する（図３ステップＳ６）。
【００３５】
通常、ＩＰトンネル機能による仮想専用回線３０１を利用した場合、物理的にポイントトゥーポイントで接続された専用回線と異なり、図１に示すようなＩＰトンネル区間中で発生した回線障害を検知することが難しく、回線障害に対応して自動的にバックアップ回線４００にデータ転送経路を切替えるといった冗長性動作を実現することが難しい。
【００３６】
しかしながら、本実施例では、ＩＰトンネル区間中で発生した回線障害を、ＩＰトンネル区間でＩＰｖ６隣接探索プロトコルを動作させることで監視し、図２に示すように、標準的に利用されるパケット到達不可エラー通知パケットの受信をトリガとして自動的にバックアップ回線４００にデータ転送経路を切替えることで、回線信頼性を高めることができる。
【００３７】
また、ＩＰトンネル区間で発生した回線障害によって、データ通信経路をバックアップ回線４００に切替えた後、ＩＰトンネル区間でＩＰｖ６隣接探索プロトコルを動作させることでＩＰトンネルの両終端ルータ間のパケット到達性を監視することによって、ＩＰトンネル機能による仮想専用回線３０１の回線障害復旧の確認と、その回線障害復旧をトリガとするバックアップ回線４００からＩＰトンネル機能による仮想専用回線３０１への自動的な回線経路切替えとが可能となる。
【００３８】
尚、上記の説明ではルータ１を始点ノード、ルータ２を終点ノードとしているが、ＩＰｖ６ネットワーク２００側から見ると、ルータ２が始点ノード、ルータ１が終点ノードとなるので、この場合にも上記と同様の動作を行うことで、上述した効果が得られる。
【００３９】
図４は本発明の他の実施例によるＩＰｖ６ネットワーク網間接続システムの構成を示すブロック図である。図４において、本発明の他の実施例によるシステム構成は、ＩＰｖ４ネットワーク３００をＩＰｖ６ネットワーク５００に置き換えた以外は図１に示す本発明の一実施例によるＩＰｖ６ネットワーク網間接続システムの構成と同様の構成となっており、同一構成要素には同一符号を付してある。また、同一構成要素の動作は本発明の一実施例と同様である。
【００４０】
本発明の他の実施例では、ＩＰｖ６ネットワーク５００内のＩＰトンネル機能による仮想専用回線５０１を利用してＩＰｖ６ネットワーク１００，２００間を接続しており、ＩＰトンネル区間でＩＰｖ６隣接探索プロトコルを動作させることで、ＩＰトンネル区間中で発生した回線障害及びＩＰトンネル機能による仮想専用回線５０１の回線障害復旧を監視し、その監視結果に基づいてバックアップ回線４００の切替えを行っている。
【００４１】
【発明の効果】
以上説明したように本発明のＩＰｖ６ネットワーク網間接続システムは、ＩＰトンネル区間中で発生した回線障害を、ＩＰトンネル区間でＩＰｖ６隣接探索プロトコルを動作させることで監視し、パケット到達不可エラー通知パケットの受信をトリガとして自動的にバックアップ回線にデータ転送経路を切替えることによって、回線信頼性を高めることができるという効果が得られる。
【００４２】
また、本発明の他のＩＰｖ６ネットワーク網間接続システムは、ＩＰトンネル区間で発生した回線障害によって、データ通信経路をバックアップ回線に切替えた後、ＩＰトンネル区間でＩＰｖ６隣接探索プロトコルを動作させることによって、回線障害復旧の確認及びその回線障害復旧時の自動的な回線経路切替えを実現することができるという効果が得られる。
【図面の簡単な説明】
【図１】本発明の一実施例によるＩＰｖ６ネットワーク網間接続システムの構成を示すブロック図である。
【図２】本発明の一実施例によるＩＰｖ６ネットワーク網間接続システムにおける回線障害時の状態を示す図である。
【図３】図１のルータの動作を示すフローチャートである。
【図４】本発明の他の実施例によるＩＰｖ６ネットワーク網間接続システムの構成を示すブロック図である。
【符号の説明】
１，２  ルータ
１００，２００，５００  ＩＰｖ６ネットワーク
３００  ＩＰｖ４ネットワーク
３０１，５０１  トンネル機能による仮想専用回線
４００  バックアップ回線
【図１】
0004178824.tif 000002
【図２】
0004178824.tif 000003
【図３】
0004178824.tif 000004
【図４】
0004178824.tif 000005